(57)【要約】      （修正有）【課題】  高度なバランス感覚、特にサーフィン、スノーボード、スケートボードにおけるバランス感覚を養成する。【解決手段】  搭乗面１１ａを有するボード本体１１の裏面１１ｂにおける、前側と後側とに凹部１２を設ける。凹部は環状の側部１２ａと平面状の底部１２ｂとを有する、全体として楕円状又はトラック形に形成する。これら凹部１２は、ボード本体１１を下方から支持するボールＢの移動領域（移動範囲）を規制する。使用に際し、ボード本体１１の前後において、それぞれのボールＢが凹部１２内で自由に移動することができるので、２個のボールを結ぶ揺動中心が種々に変化する。【選択図】図２
2007044085.tif 000002
【特許請求の範囲】
【請求項１】
使用者が乗る搭乗面を上面に有するボード本体を備えたバランスボードにおいて、
ボード本体の裏面における前側と後側とに、前記ボード本体を下方から支持する球体の移動範囲を規制する凹部を設けた、
ことを特徴とするバランスボード。
【請求項２】
前記凹部が形成されるとともに、前記ボード本体に対し着脱自在に装着されるアタッチメントを備える、
ことを特徴とする請求項１に記載のバランスボード。
【請求項３】
前記凹部が、平面状の底部を有する、
ことを特徴とする請求項１又は２に記載のバランスボード。
【請求項４】
前記凹部が、かまぼこ形の底部を有する、
ことを特徴とする請求項１又は２に記載のバランスボード。
【発明の詳細な説明】
【技術分野】
【０００１】
本発明は、バランス感覚の養成、特にサーフィンボード、スノーボード、スケートボードにおけるバランス感覚の養成に好適なバランスボードに関する。
【背景技術】
【０００２】
本出願人は、レクリエーション、バランス感覚の養成、足首や関節のリハビリ、集中力の向上、脳のリフレッシュ等を目的としたバランストレーニングに使用するバランスボードを提案した（特許文献１参照）。
【０００３】
このバランスボードは、使用者が乗る搭乗面を上面に有する板状のボード本体の裏面と床面との間に支持部材を配設して構成されている。支持部材としては、円柱状や丸棒状のものが使用され、これら支持部材を支点としてボード本体が前後、左右、あるいは斜めに揺動するようになっている。
【特許文献１】特開２００４−３０５４４２号公報
【発明の開示】
【発明が解決しようとする課題】
【０００４】
しかしながら、上述のバランスボードによると、支持部材が円柱状や丸棒状に形成されているため、支点の位置がほぼ所定の位置に設定されてしまう。このため使用者には、バランスボードの揺動方向の予想がつく。したがって、レクリエーション、簡単なバランス感覚の養成、足首や関節のリハビリ、集中力の向上、脳のリフレッシュ等には、適してはいるものの、特に複雑で高度なバランス感覚が求められるサーフィンには、不十分なものであった。
【０００５】
そこで、本発明は、複雑で高度なバランス感覚が求められるサーフィンのバランス養成にも適したバランスボードを提供することを目的とするものである。
【課題を解決するための手段】
【０００６】
請求項１に係る発明は、使用者が乗る搭乗面を上面に有するボード本体を備えたバランスボードにおいて、ボード本体の裏面における前側と後側とに、前記ボード本体を下方から支持する球体の移動範囲を規制する凹部を設けた、ことを特徴とする。
【０００７】
請求項２に係る発明は、請求項１に記載のバランスボードにおいて、前記凹部が形成されるとともに、前記ボード本体に対し着脱自在に装着されるアタッチメントを備える、ことを特徴とする。
【０００８】
請求項３に係る発明は、請求項１又は２に記載のバランスボードにおいて、前記凹部が、平面状の底部を有する、ことを特徴とする。
【０００９】
請求項４に係る発明は、請求項１又は２に記載のバランスボードにおいて、前記凹部が、かまぼこ形の底部を有する、ことを特徴とする。
【発明の効果】
【００１０】
請求項１の発明によると、ボード本体を下方から支持する球体が凹部の範囲内で移動することができるので、球体の位置によって決定されるボード本体の揺動中心が種々に変化する。したがって、使用者は高度なバランス感覚を養成することができる。
【００１１】
請求項２の発明によると、凹部が、ボード本体に対して着脱自在なアタッチメントに形成されているので、アタッチメントの取付け向きの変更や付け替えによって、ボールに対する規制態様の異なる種々の凹部をボード本体に設けることができる。
【００１２】
請求項３の発明によると、凹部の底部が平面状に形成されているので、凹部に対する球体の移動のしやすさが均等になる。
【００１３】
請求項４の発明によると、凹部がかまぼこ形に形成されているので、凹部に対する球体の移動のしやすさが不均等になる。
【発明を実施するための最良の形態】
【００１４】
以下、図面に沿って、本発明の実施の形態について説明する。なお、各図面において同一の符号を付したものは、同一の構成又は作用をなすものであり、これらについての重複説明は適宜省略した。
＜実施の形態１＞
【００１５】
図１，図２，図３を参照して、本発明を適用することができるバランスボードについて説明する。ここで、図１はボード本体の下面図、また図２は図１のＡ−Ａ矢視図、さらに図３は図１のＢ−Ｂ線矢視図を示す。なお、図１，図２中の左側が実際のバランスボードの前側、また図１，図２中の右側が実際のバランスボードの後側に相当する。図３中では、上側、下側がそれぞれ右側、左側に相当する。
【００１６】
これらの図に示すバランスボード１０は、ボード本体１１によって構成されている。なお、後の実施の形態４，５，６においては、バランスボードがボード本体とアタッチメントとによって構成される例を説明する。
【００１７】
ボード本体１１は、前後方向に長いほぼ長方形状の板状の部材によって構成されている。このボード本体は、実際のサーフィンボードの前側部分と後側部分とを取り除いたような形状、すなわちサーフィンボードにおける使用者が乗る部分のみを残したような形状となっている。ボード本体１１は、材質としては、木材や合成樹脂を使用することができる。
【００１８】
ボード本体１１の上面は、使用者が左足及び右足を左右に開いた状態で乗せる搭乗面１０ａとなっていて、滑り止め加工（不図示）が施されている。また、ボード本体１１の裏面（床面に対面する面）１１ｂには、前側と後側とに、凹部１２，１２が形成されている。これら凹部１２，１２は、それぞれ使用者の足の位置に対応する位置に形成されている。
【００１９】
本実施の形態においては、前側の凹部１２（図１，図２中の左側の凹部）は、楕円状に形成され、また後側の凹部（同じく右側の凹部）は、円弧と直線とを組み合わせたトラック状に形成されている。これら凹部１２は、それぞれ環状の側部１２ａと底部１２ｂとによって構成されている。本実施の形態では、底部１２ｂは、平面状に形成されている。前側の凹部１２は、ボード本体１１の左端及び右端及び前端の近傍まで形成されている。また後側の凹部１２は、ボード本体１１の左端及び右端及び後端の近傍まで形成されている。ただし、強度的な観点から、これら凹部１２は、ボード本体１１の周縁部における面取り部（Ｒ部）にはかからないようにすることが好ましい。また、同じく強度的な観点から、底部１２ｂの深さは、ボード本体１１の厚さの２分の１以下とすることが好ましい。
【００２０】
ボード本体１１の裏面１１ｂにおける、前側の凹部１２の少し後側及び後側の凹部１２の少し前側には、それぞれストッパ１３が配設されている。ストッパ１３は、左右方向に長い角柱状に構成されている。ストッパ１３は、丸棒状の支持部材(不図示)をボード本体１１の裏面１１ｂに載置して使用したときに、この丸棒上の支持部材が、ボード本体１１の裏面１１ｂに載置される範囲におさまるようにするためのものである。
また、ボード本体１１の裏面１１ｂには、複数の雌ねじ１４が穿設されている。これら雌ねじ１４は、上面に雄ねじを有する円柱状の支持部材（不図示）を取り付けるためのものである。なお、支持部材を取り付けた場合には、この支持部材の下面と床面とに接地部がボード本体１１の揺動中心となる。すなわち、支持部材を１つ取り付けた場合には、ボード本体１１は、その支持部材を中心として任意の方向に傾斜させることができる。また、支持部材を２つ取り付けた場合には、ボード本体１１は、これら２つの支持部材を結ぶ直線を揺動中心として、一定方向に揺動させることが可能となる。
【００２１】
なお、このように、丸棒上の支持部材（不図示)を用いて使用するボード本体１１の使用形態及び雌ネジ１４に円柱状の支持部材を取り付けて使用するボード本体１１の使用形態は、このような使用形態も可能であることを例示するものであり、本発明の主要な使用形態ではない。
【００２２】
本発明においては、ボード本体１１を下方から支持する部材として、球体としての球状のボールＢ（図２参照）を使用することを想定している。すなわち、前側の凹部１２及び後側の凹部１２にボールＢを当てて、２個のボールＢと床面との２つの接点を結ぶ直線（以下「揺動中心」という。）を中心としてボード本体１１が揺動するように構成している。前後の凹部１２，１２は、それぞれのボールＢの移動領域（移動範囲）を規制するものであり、２個のボールＢは、それぞれ凹部１２の移動領域内で自由に移動することが可能である。このため、２個のボールＢの位置に応じて、ボード本体１１の揺動中心が種々に変化することになる。これにより、使用者は、高度なバランス感覚を養成することが可能となる。特に、本実施の形態では、前側及び後側の凹部１２をそれぞれボード本体１１の左端及び右端の近傍まで形成しているので、その分、左右方向に沿ってのボールＢの移動領域を広くとることができ、これにより、揺動中心の変化を多彩にすることを可能としている。
【００２３】
なお、凹部１２は、楕円状や円弧と直線とを組み合わせたトラック状に形成されていると、無駄な凹部を形成することなく、ボールＢの移動範囲を最大限に生かすことができるが、凹部の形状はこれに限定される必要はない。左右方向を長辺とする長方形状であってもよく、ボールＢが移動できるように形成されていれば、形状は問わない。ただし、凹部１２は、後述する理由から、左右方向にボールＢの移動領域を広くとることができる形状に形成されていることがのぞましい。
＜実施の形態２＞
【００２４】
図４に、本実施の形態を示す。同図は、実施の形態１における図２の左端側の部分に相当する図である。
【００２５】
本実施の形態においては、搭乗面２１ａを有するボード本体２１の裏面２１ｂに、実施の形態１とは形状の異なる凹部２２を形成した。すなわち、側部２２ａと底部２２ｂとで構成される凹部２２を「かまぼこ形」に形成している。前後方向に沿った縦断面の形状が、任意の左右方向の位置において「かまぼこ型」となるように形成している。ただし、底部２２ｂは、曲率の小さい曲面で構成している。この凹部２２は、図１に相当する下面視においては、図１と同様の楕円状となる。なお、以上では、前側の凹部２２について説明したが、後側の凹部２２についても同様である。
【００２６】
本実施の形態においては、前後の凹部２２，２２を、上述のような「かまぼこ形」に形成したので、上述の実施の形態１と比較して、凹部２２，２２内におけるそれぞれのボールＢの前後方向の移動が規制されることになる。このため、ボード本体２１のバランスをとることが容易となる。
【００２７】
なお、凹部２２の形状は問わないが、左右方向にボールＢの移動領域を広くとることができる形状に形成されていることがのぞましいことは実施の形態１と同様である。
＜実施の形態３＞
【００２８】
図５に、本実施の形態を示す。同図は、実施の形態１における図３に相当する図である。
【００２９】
本実施の形態においては、搭乗面３１ａを有するボード本体３１の裏面３１ｂに、実施の形態１とは形状の異なる凹部３２を形成した。すなわち、側部３２ａと底部３２ｂとで構成される凹部３２を「かまぼこ形」に形成している。左右方向に沿った縦断面の形状が、任意の前後方向の位置において「かまぼこ型」となるように形成している。ただし、底部３２ｂは、曲率の小さい曲面で構成している。この凹部３２は、図１に相当する下面視においては、図１と同様の楕円状となる。なお、以上では、前側の凹部３２について説明したが、後側の凹部３２についても同様である。
【００３０】
本実施の形態においては、前後の凹部３２，３２を、上述のような「かまぼこ形」に形成したので、上述の実施の形態１と比較して、凹部３２，３２内におけるそれぞれのボールＢの左右方向の移動が規制されることになる。このため、ボード本体３１のバランスをとることが容易となる。
【００３１】
なお、凹部３２の形状は問わないことは実施の形態１と同様である。ただし、凹部３２は、たとえば、前後方向を長軸とする楕円状、前後方向を長辺とする長方形状のように、前後方向にボールＢの移動領域を広くとることができる形状に形成されていることがのぞましい。
＜実施の形態４＞
【００３２】
図６に、実施の形態４を示す。同図は、実施の形態１における図２の左側の部分に相当する図である。
【００３３】
本実施の形態においては、搭乗面４１ａを有するボード本体４１の裏面４１ｂに、凹部４２を形成し、さらにこの凹部４２に対してアタッチメント５１を着脱自在に取り付けるようにした。
【００３４】
凹部４２は、例えば、上述の実施の形態１の凹部１２と同様に、環状の側部４２ａと平面状の底部４２ｂとを有する楕円形状に形成した。この凹部４２自体を、ボールＢの移動領域を規制するための凹部として使用することができる。さらに、この凹部４２は、アタッチメント５１の取り付け用にも兼用することができる。アタッチメント５１は、例えば、凹部４２に係脱可能な楕円形状に形成し、さらに下面に、実施の形態２の図４に示す凹部２２と同様の凹部５２を設ける。凹部５２は、側部５２ａと底部５２ｂとを有する「かまぼこ形」の凹部である。ボード本体４１の凹部４２の底部４２ｂに雌ねじ４３を形成し、またアタッチメント５１には透孔５３を形成する。そして、雄ねじ５４を、アタッチメント５１の透孔５３に貫通させ、さらに雌ねじ４３に螺合させる。これにより、アタッチメント５１をボード本体４１に取り付けることができる。なお、ボード本体４１に形成する後側の凹部４２（不図示）についても同様に形成し、さらにこの凹部４２に対してもアタッチメント５１を着脱できるように構成するものとする。
【００３５】
本実施の形態によると、アタッチメント５１をボード本体４１に対して着脱することにより、ボード本体４１の凹部４２と、アタッチメント５１の凹部５２とを有効に使用することが可能となる。
【００３６】
凹部４２及びアタッチメント５１の形状は問わないが、アタッチメント５１の下面を実施の形態２の図４に示す凹部２２と同様の凹部５２を設ける場合には、左右方向にボールＢの移動領域を広くとることができる形状に形成されていることがのぞましいことは実施の形態１と同様である。
【００３７】
また、アタッチメントの下面は、実施の形態３の図５に示す凹部分３２と同様の凹部を設ける場合であってもよい。
【００３８】
ボード本体４１裏面４１ａの凹部及びアタッチメントの下面の形状は問わないが、前後方向にボールＢの移動領域を広くとることができる形状に形成されていることがのぞましい。
＜実施の形態５＞
【００３９】
図７に、実施の形態５を示す。同図は、実施の形態１の図１の左側の部分に相当する図、及びアタッチメント７１を前側から見た図である。
【００４０】
本実施の形態においては、搭乗面（不図示）を有するボード本体６１の裏面６１ｂに、正方形の凹部６２を形成し、さらにこの凹部６２に対して正方形のアタッチメント７１を着脱自在に取り付けるようにした。
【００４１】
凹部６２は、例えば、上述の実施の形態１の凹部１２の形状を、楕円形状から正方形状に代えた凹部とする。この凹部６２自体を、ボールＢの移動領域を規制するための凹部として使用することができる。さらに、この凹部６２は、アタッチメント５１の取り付け用にも兼用することができる。アタッチメント７１は、例えば、凹部６２に係脱可能な正方形状に形成し、さらに下面に、実施の形態２の図４に示す凹部２２と同様の凹部７２を設ける。凹部７２は、側部７２ａと底部７２ｂとを有する「かまぼこ形」の凹部である。そして、本実施の形態では、アタッチメント７１を、ボード本体６１に対して図７に示す向きと、これに対して９０度回転させた向きとに取り付けられるようにした。これにより、凹部７２の「かまぼこ形」の向きを９０度変更することができる。なお、ボード本体６１に対するアタッチメント７１の取付け方法は、上述の実施の形態６あるいは後述する実施の形態８と同様とすることができる。
【００４２】
ここで、図７に示す凹部６２を円形に形成し、またアタッチメント７１を円形に形成した場合には、ボード本体６１に対するアタッチメント７１の取り付け角度を任意に設定して、「かまぼこ形」の向きを任意に向けることが可能となる。
＜実施の形態６＞
【００４３】
図８に、実施の形態６を示す。同図は、実施の形態４の図６に相当する図である。
【００４４】
本実施の形態においては、搭乗面８１ａを有するボード本体８１の裏面８１ｂに、凹部８２を形成し、さらにこの凹部８２に対してアタッチメント９１を着脱自在に取り付けるようにした。
【００４５】
ボード本体８１側には、ボールＢを規制する凹部８２の底部に取付け穴８３を穿設する。一方、アタッチメント９１側には、下面にボールＢを規制する凹部９２を形成し、さらに上面に上述の取付け穴８３に係脱可能なボス９３を突設する。ボス９３にはゴムパッキン９４を巻き付ける。ボード本体８１にアタッチメント９１を取り付けるに際しては、ボス９３を取付け穴８３に係合させる。このとき、ゴムパッキン９４により、係合が確実なものとなる。
【００４６】
またボス９３の先端にボスの横断面より少し大きめのゴムパッキンを取り付けることによって取付け穴８３に係合させるものであってもよい。
【００４７】
本実施の形態によると、ボード本体８１に対するアタッチメント９１の着脱が容易となる。
【００４８】
上述の実施の形態においては、球体が、球状のボールＢである場合を例に説明したが、球体としてはこれに変えて、楕円状の球体（例えば、フットボール形）や、表面に多数の凸凹がある球体を使用することもできる。これらの場合には、ボールＢを使用する場合と比較して、使用者はボード本体の意外性のある揺動を体感することができる。これにより、さらに高度なバランス感覚を養成することができる。
【図面の簡単な説明】
【００４９】
【図１】実施の形態１のボード本体の下面図である。
【図２】図１におけるＡ−Ａ線矢視図である。
【図３】図１におけるＢ−Ｂ線矢視図である。
【図４】実施の形態２における、図２に相当する図である。
【図５】実施の形態３における、図３に相当する図である。
【図６】実施の形態４における、図２に相当する図である。
【図７】実施の形態５における、図１に相当する図である。
【図８】実施の形態６における、図２に相当する図である。
【符号の説明】
【００５０】
１０        バランスボード
１１，２１，３１，４１，６１，８１
ボード本体
１１ａ，２１ａ，３１ａ，４１ａ，８１ａ
搭乗面
１１ｂ，２１ｂ，３１ｂ，４１ｂ，６１ｂ，８１ｂ
裏面
１２，２２，３２，４２，５２，６２，７２，８２，９２
凹部
１２ｂ，２２ｂ，３２ｂ，４２ｂ，５２ｂ，７２ｂ
底部
Ｂ          球体（ボール）
６２        スコアブック表示手段
【図１】
2007044085.tif 000003
【図２】
2007044085.tif 000004
【図３】
2007044085.tif 000005
【図４】
2007044085.tif 000006
【図５】
2007044085.tif 000007
【図６】
2007044085.tif 000008
【図７】
2007044085.tif 000009
【図８】
2007044085.tif 000010